(57)【要約】【課題】本発明は空気調和装置に関するもので、空気調和装置おける静電霧化手段のマイナスに帯電した帯電微粒子水の発生量をより安定させることができる。【解決手段】そしてこの目的を達成するために本発明は、静電霧化ケース１７は、粉塵侵入抑制手段２８を備え、第２の連通口２６は、第１の気流における静電霧化ケース１７の風下側の側面に位置する。粉塵侵入抑制手段２８は、ドレンガイド部２７から第１の気流に直行すると共に斜め下方向へ伸びた平板形状の底板部２９と、この底板部２９の第１の気流の風上側の端部より上方に伸びた平板形状の風上側側板部３０と、底板部２９の第１の気流の風下側の端部より上方に伸びた平板形状の風下側側板部３１とから形成し、風下側側板部３１の上端部の高さが、風上側側板部３０の上端部の高さより低いことを特徴としたものである。【選択図】図２
2013204830.tif 000002
【特許請求の範囲】
【請求項１】
吸気口と排気口を有する本体ケースと、この本体ケース内に設けられた静電霧化手段と空気調和手段と、この空気調和手段に送風する送風手段と、この送風手段と空気調和手段とを制御する制御部とから構成し、前記静電霧化手段は、略箱形状の静電霧化ケースと、この静電霧化ケース内に設けられた静電霧化部と、前記静電霧化ケース内に空気を誘引する誘引手段とから形成し、前記静電霧化部は、放電電極と、この放電電極に対向して配置された対向電極と、これらの対向電極と放電電極間に高電圧を印加する高電圧印部と、前記放電電極を冷却する冷却部とから形成し、前記静電霧化ケースは、前記誘引手段と連通する開口である第１の連通口と、前記静電霧化部で発生した水を前記静電霧化ケース外に排水するドレンガイド部と、このドレンガイド部が、貫通する開口である前記第２の連通口と、前記ドレンガイド部に設けた粉塵侵入抑制手段とから構成し、前記第２の連通口は、前記送風手段によって前記空気調和手段へ送風される第１の気流における前記静電霧化ケースの風下側の側面に位置し、前記粉塵侵入抑制手段は、前記ドレンガイド部から前記第１の気流に直行すると共に斜め下方向へ伸びた平板形状の底板部と、この底板部の前記第１の気流の風上側の端部より上方に伸びた平板形状の風上側側板部と、前記底板部の前記第１の気流の風下側の端部より上方に伸びた平板形状の風下側側板部とから形成し、前記風下側側板部の上端部の高さが、前記風上側側板部の上端部の高さより低いことを特徴とする空気調和装置。
【請求項２】
前記吸気口は、前記本体ケースの一側面に位置し、前記空気調和手段は、前記吸気口に対向し、前記制御部は、前記吸気口と前記空気調和手段との間に位置し、前記静電霧化手段の前記粉塵侵入抑制手段は、前記制御部と前記空気調和手段との間に位置することを特徴とする請求項１に記載の空気調和装置。
【請求項３】
前記粉塵侵入抑制手段と前記空気調和手段との距離は、前記粉塵侵入抑制手段と前記制御部との距離より短いことを特徴とする請求項２に記載の空気調和装置。
【請求項４】
前記ドレンガイド部は、第１のドレンガイド部と第２ドレンガイド部とから形成し、前記第１のドレンガイド部は、前記静電霧化部の下方から前記第２の連通口まで伸び、前記第２のドレンガイド部は、前記第２の連通口から前記第１の気流における前記静電霧化ケースの風下側の側面に沿って前記静電霧化ケースの一側面まで伸び、前記第２の連通口および前記第２のドレンガイド部の上部には、前記静電霧化ケースから突出した凸部を有した請求項１から３のいずれかに記載の空気調和装置。
【発明の詳細な説明】
【技術分野】
【０００１】
本発明は、水に高電圧を印加することにより帯電微粒子水を生成する静電霧化機能を有する空気調和装置に関する。
【背景技術】
【０００２】
空気調和装置は、例えば加湿、除湿、空気清浄等に活用され、更に、それに静電霧化機能が取り付けられたものがある。このような従来の空気調和装置の構成は以下のようになっていた。
【０００３】
すなわち、吸気口と排気口を有する本体ケースと、この本体ケース内に設けられた静電霧化手段と空気調和手段と、この空気調和手段に送風する送風手段と、この送風手段と空気調和手段とを制御する制御部とから構成し、前記静電霧化手段は、略箱形状の静電霧化ケースと、この静電霧化ケース内に設けられた静電霧化部と、前記静電霧化ケース内に空気を誘引する誘引手段とからなり、前記静電霧化部は、放電電極と、この放電電極に対向して配置された対向電極と、これらの対向電極と放電電極間に高電圧を印加する高電圧印部と、前記放電電極を冷却する冷却部とから形成されていた（例えば、特許文献１参照）。
【先行技術文献】
【特許文献】
【０００４】
【特許文献１】特開２０１１−１８３０１５号公報
【発明の概要】
【発明が解決しようとする課題】
【０００５】
上記従来例における課題は、空気調和装置における静電霧化手段からの帯電微粒子水の発生量をより安定させるということであった。
【０００６】
すなわち、従来の物においては、放電電極を冷却部によって冷却することにより、放電電極の先端に空気中の水分を結露させ、その結露させた水に高電圧を印加し、マイナスの電荷を集中させることにより帯電微粒子水を生成していた。ここで、放電電極の先端に埃が付着すると、放電電極の先端に結露する水の量が変化すため、マイナスに帯電した帯電微粒子水の発生量にバラツキが発生するものである。
【０００７】
そこで本発明は、空気調和装置おける静電霧化手段の帯電微粒子水の発生量をより安定させるということを目的とするものである。
【課題を解決するための手段】
【０００８】
そしてこの目的を達成するために本発明は、吸気口と排気口を有する本体ケースと、この本体ケース内に設けられた静電霧化手段と空気調和手段と、この空気調和手段に送風する送風手段と、この送風手段と空気調和手段とを制御する制御部とから構成し、前記静電霧化手段は、略箱形状の静電霧化ケースと、この静電霧化ケース内に設けられた静電霧化部と、前記静電霧化ケース内に空気を誘引する誘引手段とから形成し、前記静電霧化部は、放電電極と、この放電電極に対向して配置された対向電極と、これらの対向電極と放電電極間に高電圧を印加する高電圧印部と、前記放電電極を冷却する冷却部とから形成し、前記静電霧化ケースは、前記誘引手段と連通する開口である第１の連通口と、前記静電霧化部で発生した水を前記静電霧化ケース外に排水するドレンガイド部と、このドレンガイド部が、貫通する開口である前記第２の連通口と、前記ドレンガイド部に設けた粉塵侵入抑制手段とから構成し、前記第２の連通口は、前記送風手段によって前記空気調和手段へ送風される第１の気流における前記静電霧化ケースの風下側の側面に位置し、前記粉塵侵入抑制手段は、前記ドレンガイド部から前記第１の気流に直行すると共に斜め下方向へ伸びた平板形状の底板部と、この底板部の前記第１の気流の風上側の端部より上方に伸びた平板形状の風上側側板部と、前記底板部の前記第１の気流の風下側の端部より上方に伸びた平板形状の風下側側板部とから形成し、前記風下側側板部の上端部の高さが、前記風上側側板部の上端部の高さより低いことを特徴とするものである。
【０００９】
これにより初期の目的を達成するものである。
【発明の効果】
【００１０】
以上のように本発明は、空気調和装置おける静電霧化手段の帯電微粒子水の発生量をより安定させることが出来るものである。
【００１１】
すなわち、吸気口と排気口を有する本体ケースと、この本体ケース内に設けられた静電霧化手段と空気調和手段と、この空気調和手段に送風する送風手段と、この送風手段と空気調和手段とを制御する制御部とから構成し、前記静電霧化手段は、略箱形状の静電霧化ケースと、この静電霧化ケース内に設けられた静電霧化部と、前記静電霧化ケース内に空気を誘引する誘引手段とから形成し、前記静電霧化部は、放電電極と、この放電電極に対向して配置された対向電極と、これらの対向電極と放電電極間に高電圧を印加する高電圧印部と、前記放電電極を冷却する冷却部とから形成し、前記静電霧化ケースは、前記誘引手段と連通する開口である第１の連通口と、前記静電霧化部で発生した水を前記静電霧化ケース外に排水するドレンガイド部と、このドレンガイド部が、貫通する開口である前記第２の連通口と、前記ドレンガイド部に設けた粉塵侵入抑制手段とから構成し、前記第２の連通口は、前記送風手段によって前記空気調和手段へ送風される第１の気流における前記静電霧化ケースの風下側の側面に位置し、前記粉塵侵入抑制手段は、前記ドレンガイド部から前記第１の気流に直行すると共に斜め下方向へ伸びた平板形状の底板部と、この底板部の前記第１の気流の風上側の端部より上方に伸びた平板形状の風上側側板部と、前記底板部の前記第１の気流の風下側の端部より上方に伸びた平板形状の風下側側板部とから形成し、前記風下側側板部の上端部の高さが、前記風上側側板部の上端部の高さより低いことを特徴とするものであり、空気調和装置おける静電霧化手段のマイナスに帯電した帯電微粒子水の発生量をより安定させることが出来るものである。
【００１２】
すなわち、前記静電霧化ケースは、前記誘引手段と連通する開口である第１の連通口と、前記静電霧化部で発生した水を前記静電霧化ケース外に排水するドレンガイド部と、このドレンガイド部が、貫通する開口である前記第２の連通口と、前記ドレンガイド部に設けた粉塵侵入抑制手段とから構成し、前記第２の連通口は、前記送風手段によって前記空気調和手段へ送風される第１の気流における前記静電霧化ケースの風下側の側面に位置し、前記粉塵侵入抑制手段は、前記ドレンガイド部から前記第１の気流に直行すると共に斜め下方向へ伸びた平板形状の底板部と、この底板部の前記第１の気流の風上側の端部より上方に伸びた平板形状の風上側側板部と、前記底板部の前記第１の気流の風下側の端部より上方に伸びた平板形状の風下側側板部とから形成し、前記風下側側板部の上端部の高さが、前記風上側側板部の上端部の高さより低いものである。
【００１３】
これにより、送風手段によって、本体ケースの吸気口から吸い込まれた空気は、空気調和手段へ送風される第１の気流となる。この第１の気流は、最初に、粉塵侵入抑制手段の風上側側板部に達する。この風上側側板部に達した空気の一部は、風上側側板部の上部を通過し、重力によって下方向に下りながら底板部の上部を通過し、風下側側板部に達する。ここで、風下側側板部の上端部の高さが、風上側側板部の上端部の高さより低いので、風下側側板部に当たることなく風下側側板部の上部を通過できるものである。すなわち、粉塵侵入抑制手段である風上側側板部と、風下側側板部と、底板部とに囲まれた部分には、埃が溜まり難くできる。
【００１４】
つまり、誘引手段によって、第２の連通口とドレンガイド部とを介して、粉塵侵入抑制手段から空気が誘引されても、粉塵侵入抑制手段には埃が溜まり難いので、埃を誘引することを抑制でき、放電電極の先端に埃が付着することも低減できる。
【００１５】
これらの結果により、空気調和装置おける静電霧化手段のマイナスに帯電した帯電微粒子水の発生量をより安定させることができる。
【図面の簡単な説明】
【００１６】
【図１】本発明の実施形態１を示す斜視図
【図２】同本体の斜視図
【図３】同本体の断面概略図
【図４】同静電霧化部を示す概略断面図
【図５】同静電霧化手段を示す概略図
【図６】同静電霧化カバー部を示す概略断面図
【図７】同静電霧化カバー部を示す図
【図８】同静電霧化カバー部を示す図
【図９】同本体の断面概略図
【発明を実施するための形態】
【００１７】
（実施の形態１）
以下本発明の一実施形態を添付図面を用いて説明する。図１から図３に示すように、本実施形態の空気調和装置は、吸気口１と排気口２を有する本体ケース３と、この本体ケース３内に設けられた静電霧化手段４と、空気調和手段５と、送風手段６と、制御部７とから構成している。
【００１８】
本体ケース３は、縦長箱形状で、背面側側面には、略四角形状の吸気口１を設け、天面には、横長四角形状の排気口２を備えている。吸気口１に対向して、送風手段６を備えている。この送風手段６と吸気口１との間には、吸気口１に対向して空気調和手段５を設けている。この空気調和手段５と吸気口１との間には、静電霧化手段４と制御部７を備えている。静電霧化手段４は、制御部７の上部に位置するものである。本体ケース３の天面の排気口２の近傍には、風量を変化させるスイッチ部８を備えている。
【００１９】
空気調和手段５の一例は、除湿手段９である。この除湿手段９へ送風手段６によって、吸気口１から吸い込まれた空気が、除湿手段９へ送風される。この除湿手段９で除湿された空気が、排気口２より送風される。なお、空気調和手段５は、加湿手段、空気清浄手段でも良い。
【００２０】
送風手段６は、スクロール形状のケーシング部１０と、このケーシング部１０に固定されたモータ部１１と、このモータ部１１によって回転する羽根部１２とから形成している。ケーシング部１０は、本体ケース３の吸気口１に対向した側面に、円形状の吸込口１３を備え、上面に、四角形状の吐出口１４を備えている。
【００２１】
制御部７は、縦長箱形状の制御ケース１５と、この制御ケース１５内に設けた回路基板１６とから形成している。回路基板１６は、スイッチ部８によって指定された風量に送風手段６を制御するものである。
【００２２】
静電霧化手段４は、図３から図５に示すように、静電霧化ケース１７と、この静電霧化ケース１７内に設けられた静電霧化部１８と、静電霧化ケース１７内に空気を誘引する誘引手段１９とから形成している。
【００２３】
静電霧化部１８は、放電電極２０と、この放電電極２０に対向して配置された対向電極２１と、これらの対向電極２１と放電電極２０間に高電圧（この実施形態では−５ＫＶ）を印加する高電圧印部２２と、放電電極２０を冷却する冷却部とから形成している。この冷却部は、ペルチェ素子３３で、０．７５Ｖ〜２．８Ｖ程度の電圧を印加するものであり、この実施形態では、放電電極２０側を低温にする。すなわち、この放電電極２０部分が冷却されることで、結露すると、マイナスに帯電した帯電微粒子水が発生することになる。なお、高電圧印部２２は、放電電極２０より下方に位置するものである。
【００２４】
誘引手段１９は、送風手段６のケーシング部１０に設けた孔２３と、この孔２３と連通する筒形状の連通路２４である。すなわち、モータ部１１により回転する羽根部１２によって、ケーシング部１０内に気流が発生し、この気流によって、ケーシング部１０に設けた孔２３に負圧が発生する。この負圧によって、連通路２４内の空気が誘引されるものである。
【００２５】
静電霧化ケース１７は、図５から図９に示すように、略縦長箱形状で、１側面に、第１の連通口２５と第２の連通口２６と、この第２の連通口２６を貫通するドレンガイド部２７とを備えている。
【００２６】
第１の連通口２５は、送風手段６によって空気調和手段５へ送風される第１の気流における静電霧化ケース１７の風下側の側面に設けた開口である。この第１の連通口２５と誘引手段１９である連通路２４とが連通するものである。すなわち、モータ部１１により回転する羽根部１２によって、ケーシング部１０内に気流が発生し、この気流によって、ケーシング部１０に設けた孔２３に負圧が発生する。この負圧によって、連通路２４を介して、静電霧化ケース１７内の空気と共に、静電霧化部１８から発生する帯電微粒子水が、ケーシング部１０内へ誘引される。このケーシング部１０内から、ケーシング部１０の吐出口１４、本体ケース３の排気口２から室内へ送風されるものである。
【００２７】
第２の連通口２６は、送風手段６によって空気調和手段５へ送風される第１の気流における静電霧化ケース１７の風下側の側面下部に設けた開口である。
【００２８】
ドレンガイド部２７は、開口である第２の連通口２６を貫通し、静電霧化ケース１７内と静電霧化ケース１７外とを連通するものである。これにより、静電霧化部１８で発生した水を静電霧化ケース１７外に排水するものである。
【００２９】
本実施形態における特徴は、ドレンガイド部２７に設けた粉塵侵入抑制手段２８である。この粉塵侵入抑制手段２８は、四角筒を軸方向に半分に割った形状、つまり、垂直断面形状が、略Ｕ字形状の樋形状である。具体的には、粉塵侵入抑制手段２８は、ドレンガイド部２７から第１の気流に直行すると共に斜め下方向へ伸びた平板形状の底板部２９と、この底板部２９の第１の気流の風上側の端部より上方に伸びた平板形状の風上側側板部３０と、底板部２９の第１の気流の風下側の端部より上方に伸びた平板形状の風下側側板部３１とから形成している。ここで、風下側側板部３１の上端部の高さが、風上側側板部３０の上端部の高さより低いことを特徴とするものである。
【００３０】
以上の構成から、これにより、送風手段６によって、本体ケース３の吸気口１から吸い込まれた空気は、空気調和手段５へ送風される第１の気流となる。この第１の気流は、最初に、粉塵侵入抑制手段２８の風上側側板部３０に達する。この風上側側板部３０に達した空気の一部は、風上側側板部３０の上部を通過し、重力によって下方向に下りながら底板部２９の上部を通過し、風下側側板部３１に達する。ここで、風下側側板部３１の上端部の高さが、風上側側板部３０の上端部の高さより低いので、風下側側板部３１に当たることなく風下側側板部３１の上部を通過できるものである。すなわち、粉塵侵入抑制手段２８である風上側側板部３０と、風下側側板部３１と、底板部２９とに囲まれた部分には、埃が溜まり難くできる。
【００３１】
つまり、誘引手段１９によって、第２の連通口２６とドレンガイド部２７とを介して、粉塵侵入抑制手段２８から空気が誘引されても、粉塵侵入抑制手段２８には埃が溜まり難いので、埃を誘引することを抑制でき、放電電極２０の先端に埃が付着することも低減できる。
【００３２】
これらの結果により、空気調和装置おける静電霧化手段４のマイナスに帯電した帯電微粒子水の発生量をより安定させることができる。
【００３３】
また、粉塵侵入抑制手段２８の先端は、静電霧化ケース１７と所定距離を有するので、ドレンガイド部２７と第２の連通口２６とを介して、粉塵侵入抑制手段２８の先端から落ちる結露水は、静電霧化ケース１７に滴下することを防止できる。
【００３４】
また、吸気口１は、本体ケース３の一側面に位置し、空気調和手段５は、吸気口１に対向し、制御部７は、吸気口１と空気調和手段５との間に位置している。静電霧化手段４の粉塵侵入抑制手段２８は、制御部７と空気調和手段５との間に位置するものである。
【００３５】
これにより、粉塵侵入抑制手段２８の先端から落ちる結露水は、制御部７と空気調和手段５との間、または、粉塵侵入抑制手段２８より風下側である空気調和手段５に滴下するので、制御部７に滴下することを防止できる。
【００３６】
また、粉塵侵入抑制手段２８と空気調和手段５との距離は、粉塵侵入抑制手段２８と制御部７との距離より短いものである。
【００３７】
これにより、粉塵侵入抑制手段２８の先端から落ちる結露水は、制御部７と空気調和手段５との間、または、粉塵侵入抑制手段２８より風下側である空気調和手段５に更に滴下し易くなるので、制御部７に滴下することを更に防止できる。
【００３８】
また、ドレンガイド部２７は、第１のドレンガイド部（図示せず）と第２ドレンガイド部３４とから形成している。第１のドレンガイド部は、静電霧化部１８の下方から第２の連通口２６まで伸びており、第２のドレンガイド部３４は、第２の連通口２６から第１の気流における静電霧化ケース１７の風下側の側面に沿って静電霧化ケース１７の一側面まで伸びている。ここで、第２の連通口２６および第２のドレンガイド部３４の上部には、静電霧化ケース１７から突出した凸部３２を有したものである。
【００３９】
具体的には、静電霧化ケース１７は、第１の気流における風下側の側面には、この側面から外方へ突出した凸部３２を備えたものである。この凸部３２は、第２のドレンガイド部３４と第２の連通口２６との上部に所定の距離を有して設けたものである。すなわち、凸部３２によって、第２のドレンガイド部３４と第２の連通口２６の上部が覆われるので、静電霧化ケース１７の天面に溜まった粉塵が、粉塵侵入抑制手段２８に落下することを防止できる。
【産業上の利用可能性】
【００４０】
以上のように本発明は、空気調和装置おける静電霧化手段のマイナスに帯電した帯電微粒子水の発生量をより安定させることが出来るものである。
【００４１】
すなわち、前記静電霧化ケースは、前記誘引手段と連通する開口である第１の連通口と、前記静電霧化部で発生した水を前記静電霧化ケース外に排水するドレンガイド部と、このドレンガイド部が、貫通する開口である前記第２の連通口と、前記ドレンガイド部に設けた粉塵侵入抑制手段とから構成し、前記第２の連通口は、前記送風手段によって前記空気調和手段へ送風される第１の気流における前記静電霧化ケースの風下側の側面に位置し、前記粉塵侵入抑制手段は、前記ドレンガイド部から前記第１の気流に直行すると共に斜め下方向へ伸びた平板形状の底板部と、この底板部の前記第１の気流の風上側の端部より上方に伸びた平板形状の風上側側板部と、前記底板部の前記第１の気流の風下側の端部より上方に伸びた平板形状の風下側側板部とから形成し、前記風下側側板部の上端部の高さが、前記風上側側板部の上端部の高さより低いものである。
【００４２】
これにより、送風手段によって、本体ケースの吸気口から吸い込まれた空気は、空気調和手段へ送風される第１の気流となる。この第１の気流は、最初に、粉塵侵入抑制手段の風上側側板部に達する。この風上側側板部に達した空気の一部は、風上側側板部の上部を通過し、重力によって下方向に下りながら底板部の上部を通過し、風下側側板部に達する。ここで、風下側側板部の上端部の高さが、風上側側板部の上端部の高さより低いので、風下側側板部に当たることなく風下側側板部の上部を通過できるものである。すなわち、粉塵侵入抑制手段である風上側側板部と、風下側側板部と、底板部とに囲まれた部分には、埃が溜まり難くできる。
【００４３】
つまり、誘引手段によって、第２の連通口とドレンガイド部とを介して、粉塵侵入抑制手段から空気が誘引されても、粉塵侵入抑制手段には埃が溜まり難いので、埃を誘引することを抑制でき、放電電極の先端に埃が付着することも低減できる。
【００４４】
これらの結果により、空気調和装置おける静電霧化手段のマイナスに帯電した帯電微粒子水の発生量をより安定させることができる。
【００４５】
従って、家庭用や事務所用などの、空気調和装置として活用が期待されるものである。
【符号の説明】
【００４６】
１    吸気口
２    排気口
３    本体ケース
４    静電霧化手段
５    空気調和手段
６    送風手段
７    制御部
８    スイッチ部
９    除湿手段
１０  ケーシング部
１１  モータ部
１２  羽根部
１３  吸込口
１４  吐出口
１５  制御ケース
１６  回路基板
１７  静電霧化ケース
１８  静電霧化部
１９  誘引手段
２０  放電電極
２１  対向電極
２２  高電圧印部
２３  孔
２４  連通路
２５  第１の連通口
２６  第２の連通口
２７  ドレンガイド部
２８  粉塵侵入抑制手段
２９  底板部
３０  風上側側板部
３１  風下側側板部
３２  凸部
３３  ペルチェ素子
３４  第２ドレンガイド部
【図１】
2013204830.tif 000003
【図２】
2013204830.tif 000004
【図３】
2013204830.tif 000005
【図４】
2013204830.tif 000006
【図５】
2013204830.tif 000007
【図６】
2013204830.tif 000008
【図７】
2013204830.tif 000009
【図８】
2013204830.tif 000010
【図９】
2013204830.tif 000011